【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  大入賞口が複数回開成する状態となる大当たりの抽選手段による発生確率を変更する確率変更手段により、通常確率で大当たりが発生する通常遊技状態と、高確率で大当たりが発生する特別遊技状態とが選択的に設定される確率変動型のパチンコ遊技機において、
前記確率変更手段は、前記抽選手段による大当たり発生後の一定の要因により大当たりの発生確率を高確率に変更して前記特別遊技状態とし、
前記特別遊技状態に変更されることが決定したことを表示手段が大当たり遊技期間中又は大当たり遊技期間後に表示することを特徴とするパチンコ遊技機。
【請求項２】  前記表示手段は、画像表示手段であり、大当たり遊技期間中又は大当たり遊技期間後にキャラクタが所定のゲームを行う画像が表示され、同ゲームの結果を画像表示することにより前記特別遊技状態に変更されることが決定したか否かを表示することを特徴とする請求項１記載のパチンコ遊技機。
【請求項３】  大当たり遊技期間中又は大当たり遊技期間後に画像表示される前記所定のゲームは、勝ち負けのあるゲームであって、その勝敗によって前記特別遊技状態に変更されることが決定したか否かを表示することを特徴とする請求項２記載のパチンコ遊技機。
【請求項４】  前記確率変更手段は、前記抽選手段の抽選による大当たり発生後に行われる別の抽選により確率変更を決定することを特徴とする請求項１から請求項３までのいずれか１項記載のパチンコ遊技機。
【請求項５】  前記表示手段は、前記抽選手段の抽選による大当たり発生の決定に基づいて、図柄を変動した後、大当たりの図柄組み合わせで図柄の変動が停止するように表示するとともに、大当たり遊技期間中又は大当たり遊技期間後に前記所定のゲームを行う画像が表示されているとき、いずれの図柄で大当たりとなったかを表示することを特徴とする請求項１から請求項４までのいずれか１項記載のパチンコ遊技機。
【請求項６】  前記確率変更手段は、前記抽選手段による大当たり発生後の大当たり遊技期間中に開成する大入賞口に入る入賞球の総個数により確率変更を決定することを特徴とする請求項１から請求項５までのいずれか１項記載のパチンコ遊技機。
【請求項７】  前記確率変更手段は、前記抽選手段による大当たり発生後の大当たり遊技期間中に開成する大入賞口内の特定領域に入る特定入賞球の総個数により確率変更を決定することを特徴とする請求項１から請求項５までのいずれか１項記載のパチンコ遊技機。
【手続補正２】
【補正対象書類名】明細書
【補正対象項目名】００１１
【補正方法】変更
【補正の内容】
【００１１】
【課題を解決するための手段および作用効果】
上記目的を達成するために、本発明は、大入賞口が複数回開成する状態となる大当たりの抽選手段による発生確率を変更する確率変更手段により、通常確率で大当たりが発生する通常遊技状態と、高確率で大当たりが発生する特別遊技状態とが選択的に設定される確率変動型のパチンコ遊技機において、前記確率変更手段は、前記抽選手段による大当たり発生後の一定の要因により大当たりの発生確率を高確率に変更して前記特別遊技状態とし、前記特別遊技状態に変更されることが決定したことを表示手段が大当たり遊技期間中又は大当たり遊技期間後に表示するパチンコ遊技機とした。
【手続補正３】
【補正対象書類名】明細書
【補正対象項目名】００１２
【補正方法】変更
【補正の内容】
【００１２】
大当たり発生後に、一定の要因で確率変更があり高確率で大当たりが発生する特別遊技状態とする場合、特別遊技状態に変更されることが決定したことを大当たり遊技期間中又は大当たり遊技期間後に表示するので、大当たりの喜び後、一定の要因でさらに確率変更があって高確率で大当たりとなる特別遊技状態に変更される期待感が盛り上がり、その後特別遊技状態に変更されることを知ることで時間をおいて２度喜びを味わうことができ至福感が長続きする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項２記載の発明は、請求項１記載のパチンコ遊技機において、前記表示手段は、画像表示手段であり、大当たり遊技期間中又は大当たり遊技期間後にキャラクタが所定のゲームを行う画像が表示され、同ゲームの結果を画像表示することにより前記特別遊技状態に変更されることが決定したか否かを表示することを特徴とする。
【手続補正７】
【補正対象書類名】明細書
【補正対象項目名】００１６
【補正方法】変更
【補正の内容】
【００１６】
大当たり遊技期間中又は大当たり遊技期間後にゲームが画像表示され、そのゲームの結果により特別遊技状態に変更されることが決定したか否かが表示されるので、大当たりの喜び後、ゲームを期待を持って見守ることになり、ゲーム結果が特別遊技状態に変更されることが決定したことを表示していれば再度喜びを味わうことができる。
【手続補正８】
【補正対象書類名】明細書
【補正対象項目名】００１７
【補正方法】変更
【補正の内容】
【００１７】
請求項４記載の発明は、請求項１から請求項３までのいずれか１項記載のパチンコ遊技機において、前記確率変更手段が、前記抽選手段の抽選による大当たり発生後に行われる別の抽選により確率変更を決定することを特徴とする。
【手続補正９】
【補正対象書類名】明細書
【補正対象項目名】００１８
【補正方法】変更
【補正の内容】
【００１８】
抽選による大当たり発生後に行われる別の抽選により確率変更を決定するので、大当たりの抽選と確率変更の抽選は互いに独立しており大当たりの表示の時に確率変更があったか否かは類推できず、確率変更があって特別遊技状態に入ったことは大当たり遊技期間後に表示することになる。
【手続補正１０】
【補正対象書類名】明細書
【補正対象項目名】００１９
【補正方法】変更
【補正の内容】
【００１９】
請求項５記載の発明は、請求項１から請求項４までのいずれか１項記載のパチンコ遊技機において、前記表示手段は、前記抽選手段の抽選による大当たり発生の決定に基づいて、図柄を変動した後、大当たりの図柄組み合わせで図柄の変動が停止するように表示するとともに、大当たり遊技期間中又は大当たり遊技期間後に前記所定のゲームを行う画像が表示されているとき、いずれの図柄で大当たりとなったかを表示することを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項６記載の発明は、請求項１から請求項５までのいずれか１項記載のパチンコ遊技機において、前記確率変更手段は、前記抽選手段による大当たり発生後の大当たり遊技期間中に開成する大入賞口に入る入賞球の総個数により確率変更を決定することを特徴とする。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
請求項７記載の発明は、請求項１から請求項５までのいずれか１項記載のパチンコ遊技機において、前記確率変更手段が、前記抽選手段による大当たり発生後の大当たり遊技期間中に開成する大入賞口内の特定領域に入る特定入賞球の総個数により確率変更を決定することを特徴とする。
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】